Podtech/llm-jp-corpus-v4-ja_patent huggingface dataset:
【手続補正書】
【提出日】平成17年2月7日(2005.2.7)
【手続補正１】
【補正対象書類名】明細書
【補正対象項目名】特許請求の範囲
【補正方法】変更
【補正の内容】
【特許請求の範囲】
【請求項１】
携帯情報機器などに複数行からなる文章を表示するとき、文章中に特殊指示コードが存在するか判断し、該特殊指示が存在する場合、背景色を変えて表示することを特徴とする文章表示方法。
【請求項２】
該特殊指示が行の先頭部分に存在する場合、その次の行より背景色を変えて表示することを特徴とする請求項１記載の文章表示方法。
【請求項３】
前記特殊指示とは、スペースコード、改行コード、インデント、タブを含むことを特徴とする請求項１または２記載の文章表示方法。
【請求項４】
前記特殊指示とは、該特殊指示コードの少なくとも１種類のコードが連続することを特徴とする請求項３記載の文章表示方法。
【請求項５】
複数行からなる文章を表示する情報機器として機能するコンピュータに、複数行からなる文章中に特殊指示コードが存在するか判断する機能と、
該特殊指示が存在する場合、背景色を変えて表示することを特徴とする文章表示プログラムを記録した記録媒体。
【手続補正２】
【補正対象書類名】明細書
【補正対象項目名】０００８
【補正方法】変更
【補正の内容】
【０００８】
【課題を解決するための手段】
請求項１記載の文章表示方法によれば、情報機器に複数行からなる文章を表示するとき、文章中に特殊指示コードが存在するか判断し、特殊指示が存在する場合、背景色を変えて表示することを特徴とする。
【手続補正３】
【補正対象書類名】明細書
【補正対象項目名】０００９
【補正方法】変更
【補正の内容】
【０００９】
請求項２記載の文章表示方法によれば、該特殊指示が行の先頭部分に存在する場合、その次の行より背景色を変えて表示することを特徴とする。
【手続補正４】
【補正対象書類名】明細書
【補正対象項目名】００１０
【補正方法】変更
【補正の内容】
【００１０】
請求項３記載の文章表示方法によれば、前記特殊指示とは、スペースコード、改行コード、インデント、タブを含むことを特徴とする。
【手続補正５】
【補正対象書類名】明細書
【補正対象項目名】００１１
【補正方法】変更
【補正の内容】
【００１１】
請求項４記載の文章表示方法によれば、前記特殊指示とは、該特殊指示コードの少なくとも１種類のコードが連続することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
請求項５記載の記録媒体によれば、複数行からなる文章を表示する情報機器として機能するコンピュータに、複数行からなる文章中に特殊指示コードが存在するか判断する機能と、該特殊指示が存在する場合、背景色を変えて表示することを特徴とする文章表示プログラムを記録した記録媒体である。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００２８
【補正方法】変更
【補正の内容】
【００２８】
図４は、例えば横２６桁の携帯情報機器に文章を表示した例であり、（ａ）と（ｃ）は、通常に表示した従来例であり、（ｂ）と（ｄ）は、本発明の実施例である。後者では、各行の先頭部分にあるスペースコードおよび改行コードを取り除いて表示装置に表示できる。複数行からなる文章の行の先頭部分に存在する特殊指示のためのコードを取り除いて表示させる。これにより、改行コードの次にスペースコードがあるか判断し、もっていわゆる字下げを取り除いて表示装置に表示するとともに、その行より背景色を変えて表示できる。改行コードの次にさらに改行コードがあるか判断し、もってその空白行を取り除いて表示装置に表示するとともに、その次の行より背景色を変えて表示できる。その結果、狭い表示画面を有効に利用して、文章を読みやすく表示できる。尚、図４の例の場合は、背景色が存在するが、背景色がない場合も本願発明が適用できることは勿論である。
【手続補正１３】
【補正対象書類名】明細書
【補正対象項目名】００３１
【補正方法】変更
【補正の内容】
【００３１】
【発明の効果】
請求項１に記載の発明では、携帯情報機器などに小説などの文章を表示するとき、背景色を変えて表示装置に表示できるので、文章を読みやすく表示できる。
【手続補正１４】
【補正対象書類名】明細書
【補正対象項目名】００３２
【補正方法】変更
【補正の内容】
【００３２】
請求項２に記載の発明では、携帯情報機器などに小説などの文章を表示するとき、特殊指示が行の先頭部分に存在するか判断し、その先頭部分に特殊指示が存在する行の次の行より背景色を変えて表示できるので、文章を読みやすく表示できる。請求項３に記載の発明では、携帯情報機器などに小説などの文章を表示するとき、スペースコード、改行コード、インデント、タブを含む特殊指示が存在するか判断し、背景色を変えて表示できるので、文章を読みやすく表示できる。
【手続補正１５】
【補正対象書類名】明細書
【補正対象項目名】００３３
【補正方法】変更
【補正の内容】
【００３３】
具体的な内容では、請求項４に記載の発明では、携帯情報機器などに小説などの文章を表示するとき、特殊指示コードの少なくとも１種類のコードが連続するか判断し、背景色を変えて表示できるので、文章を読みやすく表示できる。
【手続補正１６】
【補正対象書類名】明細書
【補正対象項目名】００３４
【補正方法】変更
【補正の内容】
【００３４】
請求項５記載の記録媒体によれば、複数行からなる文章を表示する情報機器として機能するコンピュータに、背景色を変えて表示することで、文章を読みやすく表示させることができる。
【手続補正書】
【提出日】平成17年1月6日(2005.1.6)
【手続補正１】
【補正対象書類名】明細書
【補正対象項目名】特許請求の範囲
【補正方法】変更
【補正の内容】
【特許請求の範囲】
【請求項１】
外部からのＩＣカードを検出して該ＩＣカードを内部に受け入れるためのシャッタ手段と、内部に受け入れられたＩＣカードをデータ処理するためのコネクタ手段と、このコネクタ手段に前記受け入れられたＩＣカードを接続するための手段と、前記コネクタ手段によってデータ処理されたＩＣカードを外部に払い出すための手段と、を備えていることを特徴としたＩＣカードの処理機。
【請求項２】
重ねられたＩＣカードから該ＩＣカードを払い出すための手段と、ＩＣカードをデータ処理するためのコネクタ手段と、このコネクタ手段に前記払い出されたＩＣカードを接続するための手段と、前記コネクタ手段によってデータ処理されたＩＣカードを外部に送り出すための手段と、この外部送り出し手段からのＩＣカードを検出して該ＩＣカードを外部に払い出すためのシャッタ手段と、を備えていることを特徴としたＩＣカードの処理機。
【請求項３】
請求項１あるいは請求項２の記載において、前記コネクタ手段によってデータ処理された或いは処理されなかったＩＣカードを装置内部に回収するための手段を備えていることを特徴としたＩＣカードの処理機。
【手続補正２】
【補正対象書類名】明細書
【補正対象項目名】０００５
【補正方法】変更
【補正の内容】
【０００５】
本発明は、外部からのＩＣカードを検出して該ＩＣカードを内部に受け入れるためのシャッタ手段と、内部に受け入れられたＩＣカードをデータ処理するためのコネクタ手段と、このコネクタ手段に前記受け入れられたＩＣカードを接続するための手段と、前記コネクタ手段によってデータ処理されたＩＣカードを外部に払い出すための手段と、を備えていることを特徴としたＩＣカードの処理機である。また本発明は、重ねられたＩＣカードから該ＩＣカードを払い出すための手段と、ＩＣカードをデータ処理するためのコネクタ手段と、このコネクタ手段に前記払い出されたＩＣカードを接続するための手段と、前記コネクタ手段によってデータ処理されたＩＣカードを外部に送り出すための手段と、この外部送り出し手段からのＩＣカードを検出して該ＩＣカードを外部に払い出すためのシャッタ手段と、を備えていることを特徴としたＩＣカードの処理機である。
【手続補正３】
【補正対象書類名】明細書
【補正対象項目名】０００６
【補正方法】変更
【補正の内容】
【０００６】
さらに本発明は、前記コネクタ手段によってデータ処理された或いは処理されなかったＩＣカードを装置内部に回収するための手段を備えていることを特徴としたＩＣカードの処理機である。
【発明の実施の形態】以下に本発明を其の実施について添付の図面を参照しつつ説明する。図１は本発明による一実施例を示す概略的な斜視図である。図２は図１の一部を取り除いて示す概略的な斜視図である。図３は図２の要部を取り出して示す概略的な斜視図である。図４は図１の要部を取り出して示す概略的な側面図である。図５は図１の実施例に使用されるブロック回路図である。
【手続補正４】
【補正対象書類名】明細書
【補正対象項目名】００１７
【補正方法】変更
【補正の内容】
【００１７】
このホスト・コントローラＨＣに接続されている図中央のＭＣは当該実施例装置のコントローラである。そして当該コントローラＭＣには図４に示された電気モータならびにソレノイドおよびセンサがそれぞれ接続されている。なおコネクタ２２のみはホスト・コントローラＨＣに接続されている。また電気モータ３８と３９はそれぞれ駆動回路ＭＤを介在して正回転ならびに逆回転が制御される。またソレノイドＳＬ１とＳＬ２はそれぞれ駆動回路ＳＤを介在して操作が制御される。
【手続補正５】
【補正対象書類名】明細書
【補正対象項目名】図面の簡単な説明
【補正方法】変更
【補正の内容】
【図面の簡単な説明】
【図１】図１は本発明による一実施例を示す概略的な斜視図である。
【図２】図２は図１の一部を取り除いて示す概略的な斜視図である。
【図３】図３は図２の要部を取り出して示す概略的な斜視図である。
【図４】図４は図１の要部を取り出して示す概略的な側視図である。
【図５】図５は図１の実施例に使用されるブロック回路図である。
【図６】図６は本実施例の動作を説明するためのフロー図である。
【図７】図７も本実施例の動作を説明するためのフロー図である。
【手続補正書】
【提出日】平成16年7月13日(2004.7.13)
【手続補正１】
【補正対象書類名】明細書
【補正対象項目名】００１６
【補正方法】変更
【補正の内容】
【００１６】
左右前輪１２Ｒ・１２Ｌが共に前進高速の場合には１１０１１０と表し、左右前輪１２Ｒ・１２Ｌが共に停止している場合には０１１０１１と表す。これら６ビットの数列を染色体として説明する。図５を参照して、ＧＴＯメモリ２にはブロックデータとして、
０１０１，０００１，−−−−，１００１
といった４ビットのブロックが記憶されている。ここで４ビットの数列のうち右端の１ビットの数値が０のブロックは右前輪１２Ｒ用のブロックデータであることを示し、右端の１ビットの数値が１のブロックは左前輪１２Ｌ用のブロックデータであることを示す。染色体メモリ１内にはＧ１からＧ６の６個の染色体が既にストックされている。ＧＴＯ器３は最初の染色体としてＧ１「０１０１０１」を呼び出し、乱数によりＧＴＯ処理を行うか否かを決定する。ＧＴＯ処理行う場合にはＧＴＯメモリ２内のブロックデータの中から同じく乱数によりＢ２「０００１」を呼び出す。ブロックデータＢ２「０００１」は左前輪１２Ｌ用のブロックデータであるから染色体Ｇ１「０１０１０１」の左側３ビットを数列「０００」で置換しＧＴＯ処理を行うことにより染色体「０００１０１」を生成し、第１ストック部４１に払い出す。ＧＴＯ器３は次の染色体Ｇ２「０１０１１１」を呼び出すと共にブロックデータＢ３「１１００」をランダムに選択して呼び出す。該ブロックデータＢ３「１１００」は右前輪１２Ｒ用のブロックデータであるから、染色体Ｇ２「０１０１１１」の右側３ビットを数列「１１０」で置換して染色体「０１０１１０」を生成し第２ストック部４２に払い出す。更にＧＴＯ器３は次の染色体Ｇ３「１００１００」を呼び出すがこの場合に乱数によりＧＴＯ処理を行わないと決定し、第１ストック部４１が空くまで染色体Ｇ３「１００１００」を保持し続ける。一方、第１ストック部４１内の染色体「０００１０１」は本実施例の場合突然変異部５に対して３回コピーされる。１回目にコピーされた染色体はオリジナルの染色体「０００１０１」のまま突然変異されず評価部６に払い出される。そして該染色体「０００１０１」の評価値を求めその評価値と共に比較器７に払い出す。突然変異部５に２回目に染色体「０００１０１」がコピーされると、右側３ビットのブロックか左側３ビットのブロックかのいずれについて突然変異をするかランダムに決定する。仮に左側のブロックに突然変異処理するとし、左側ブロックの中央のビットを反転させ染色体「０１０１０１」を評価部６に払い出す。そして該染色体「０１０１０１」についての評価値を求め同じ評価値と共に比較器７に払い出す。比較器７には既に染色体「０００１０１」が払い出されているので両染色体の評価値を比較し評価値の大きな方の染色体を比較器７に残す。本実施例の場合には染色体「０００１０１」が残るものとする。最後である３回目にコピーされた染色体に突然変異処理され染色体「００１１０１」が得られたとすると、該染色体「００１１０１」は評価値と共に評価部６から比較器７に払い出される。先に残された染色体「０００１０１」の評価値と今回の染色体「００１１０１」の評価値とを比較し、染色体「００１１０１」が残ったとすると、該染色体「００１１０１」が第１ストック部４１に戻される。そして、該染色体「００１１０１」が３回突然変異部５にコピーされ２回目及び３回目にコピーされた染色体に対して右側のブロックに突然変異処理を施し、最終的に比較器７に染色体「００１１００」が残る。該染色体「００１１００」は最適解保存器８に払い出されると共に、染色体メモリ１の染色体Ｇ１「０１０１０１」と置き換えられ、更に、左側の数列「０１０」に左側のブロックを表す「１」を付加してブロックデータ「０１０１」を作成し、ＧＴＯメモリ２内の左側用のブロックデータと置き換える。尚、上記実施の形態の欄に記載されたように、第１ストック部４１から３回コピーされると次のタイミングで第２ストック部４２の染色体が同じく３回連続して突然変異部５にコピーされる。
【手続補正２】
【補正対象書類名】明細書
【補正対象項目名】００１８
【補正方法】変更
【補正の内容】
【００１８】
自動搬送車Ｊ１が発進する際、初期染色体として６ビットの全くランダムな数列を設定してもよいが本実施例の場合であれば前方に障害物が存在しない状態には高速で直進してもよいので、初期染色体として「１１０１１０」を設定する。評価値の最高値を１００とすると、この時の染色体「１１０１１０」の評価値は１００である。障害物センサが障害物を検知しなければ「１１０１１０」の評価値は１００のまま変化しないので、最適解保存器８に保存された「１１０１１０」は更新されず自動搬送車Ｊ１は高速で直進し続ける。次に自動搬送車Ｊ１の前方に左から作業者Ｊ４が出現した場合を考える。左側の障害物センサ１１Ｌにより作業者Ｊ４が左側から接近してくることがわかると、そのまま高速で前進し続ければ作業者Ｊ４に衝突するおそれがあるので、染色体「１１０１１０」の評価値は評価部８１により１００から例えば５０に評価される。何回かの突然変異により染色体「１００１００」が得られたとする。該染色体「１００１００」は低速で直進することを示し、より衝突する可能性が低下するのでその評価値は８０とされる。すると、最適解保存器８内の染色体が「１１０１１０」から「１００１００」に置き換わり、自動搬送車Ｊ１は減速し低速で前進する。
【手続補正３】
【補正対象書類名】図面
【補正対象項目名】図２
【補正方法】変更
【補正の内容】
【図２】
2000181895.tif 000001
【手続補正書】
【提出日】平成17年3月18日(2005.3.18)
【手続補正１】
【補正対象書類名】明細書
【補正対象項目名】００５０
【補正方法】変更
【補正の内容】
【００５０】
ステップＳ１５において、「東経、北緯、西経、南緯、Ｎ、Ｅ、Ｗ、Ｓ」の内、いずれかの文字列が存在するか否かが判断される。「東経、北緯、西経、南緯、Ｎ、Ｅ、Ｗ、Ｓ」の内、いずれの文字列も存在しないと判断された場合、ステップＳ１６に進む。ステップＳ１６において、受信されたWEBページのデータの<ｔable>から</ｔable>までの文字列を検索し、その項目に数字を表す文字列が存在しているか否かが判断される。このステップＳ１６の処理においても、<ｔable>から</ｔable>までの文字列に数字の文字列は存在していないと判断された場合、このWEBページには、位置を表す情報は含まれていないと判断され、このフローチャートの処理は終了される。
【手続補正２】
【補正対象書類名】明細書
【補正対象項目名】００５３
【補正方法】変更
【補正の内容】
【００５３】
ステップＳ１３において、受信されたWEBページに「郵便番号」という文字列、または「〒」という記号が存在すると判断され場合、ステップＳ１４において、「電話」、「ＴＥＬ」、または「ＴEL」の内の、いづれかの文字列が存在すると判断された場合、若しくは、ステップＳ１６において、受信されたWEBページのデータの、<ｔable>から</ｔable>までの範囲に存在する文字列に、数字が含まれていると判断された場合、ステップＳ１９（図１２）に進み、その存在している文字列または記号の後に続く文字列に、全角で記述されている文字列が含まれる場合は、半角に変換し、ステップＳ２０に進む。
【手続補正３】
【補正対象書類名】明細書
【補正対象項目名】００６６
【補正方法】変更
【補正の内容】
【００６６】
このようにして、受信されたWEBページから位置情報が抽出される。なお、上述した実施の形態においては、番号変換部１１６に、郵便番号と住所の対応テーブルと、電話番号と住所の対応テーブルが記憶されているとして説明したが、それらが記憶されているCD-ROM１１９を用い、番号変換部１１６が、その記憶されているテーブルを参照するようにしても良い。また、タウンページで検索する場合、タウンページ自体に位置（緯度経度）が記述されているものもあるので、その情報を、そのまま用いるようにしても良い。
【手続補正４】
【補正対象書類名】明細書
【補正対象項目名】００８９
【補正方法】変更
【補正の内容】
【００８９】
1  ＜hl＞ビヤステーション足立  ビヤカフェ＞
2  ＜h2＞03−0000−1111（受付）
3  ＜OBJECT
4            Classid＝"clsid：B218D6A5-D8EF-11DO-9389-0000E2000BCF"
5            id＝Btn＞
6            ＜PARAMNAME＝"latitude" VALUE="42519973"＞
7            ＜PARAMNAME＝"longitude" VALUE-"1666874487"＞
8  </OBJECT>
9  ＜h2＞<td></tr></table>
10  ＜p＞
11  <table border=O cellspacing＝2>
12  <tr>
13  <td><IMG SRC＝../../image/p-def.gif alt=photo></td>
14  <td><IMG SRC＝../../image/m-def.gif alt=map></td>
15  <tr>
16  </table>
17   <table border=O width=450><tr><td><dl><dt>
18   <img src=../../image/jyuusyo.jpg>
19  ＜dd＞足立区西新井１−１−１  ビアガーデン
20  <OBJECT
21      Classid="clsid:B218D6A5-D8EF-11DO-9389-0000E2000BCF"
22      id=Btn>
23    <PARAMNAME="latitude" VALUE="425199773">
24    <PARAMNAME="longitude" VALUE="1666874487">
25   </OBJECT>
26  <dt><imgsrc=../../image/jikan.jpg>
27  <dd>平日11：30〜23：00＜BR＞＜BR＞日・祝11：30〜22：00＜BR＞＜BR＞
28     電話受付10：00〜20：00＜BR＞＜BR＞年中無休
【手続補正５】
【補正対象書類名】図面
【補正対象項目名】図１３
【補正方法】変更
【補正の内容】
【図１３】
2000076285.tif 000001
【手続補正６】
【補正対象書類名】図面
【補正対象項目名】図１５
【補正方法】変更
【補正の内容】
【図１５】
2000076285.tif 000002
【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
透明板と記録再生面を有する記録再生媒体に、記録又は再生のための光を照射する光ピックアップ装置であって、前記光を射出する光源と、前記光源からの射出光を前記記録再生面と前記透明板に照射させる集光手段と、前記記録再生面と前記透明板の表面からの戻り光を受光する光検出手段と、前記記録再生面からの戻り光により前記光検出器から出力される受光出力に基づいて第１の信号を生成する第１の信号生成手段と、前記透明板の表面からの戻り光により前記光検出器から出力される受光出力に基づいて第２の信号を生成する第２の信号生成手段と、前記第１、第２の信号を比較することにより、前記透明板の厚み情報を抽出する信号処理手段と、を備えることを特徴とする光ピックアップ装置。
【請求項２】
前記集光手段は、前記記録再生面からの戻り光を透過させる第１の領域と、前記透明板の表面からの戻り光を透過させる第２の領域とを有することを特徴とする請求項１に記載の光ピックアップ装置。
【請求項３】
前記集光手段は、前記光源からの射出光を前記記録再生面に照射する第１の領域と、前記光源からの射出光を前記透明板の表面に照射する第２の領域とを有することを特徴とする請求項１又は２に記載の光ピックアップ装置。
【請求項４】
前記第２の領域は、前記第１の領域の内側に設けられており、前記第１の領域を経て前記透明板の表面で反射される戻り光を透過させることを特徴とする請求項２又は３に記載の光ピックアップ装置。
【請求項５】
前記光ピックアップ装置は、波面の異なる複数の光束を前記集光手段から前記記録再生媒体に照射すると共に、前記複数の光束のうちの１つを前記記録再生面に照射し、前記複数の光束のうちの他の一つを前記透明板の表面に照射することを特徴とする請求項１〜４のいずれか１項に記載の光ピックアップ装置。
【請求項６】
前記光ピックアップ装置は、前記光源からの射出光を波面の異なる複数の光束の光に変換して出力するホログラム素子を備えることを特徴とする請求項１〜５のいずれか１項に記載の光ピックアップ装置。
【手続補正２】
【補正対象書類名】明細書
【補正対象項目名】０００８
【補正方法】変更
【補正の内容】
【０００８】
【課題を解決するための手段】
本発明は上記従来の課題を克服するためになされたものであり、透明板と記録再生面を有する記録再生媒体に、記録又は再生のための光を照射する光ピックアップ装置であって、上記光を射出する光源と、上記光源からの射出光を上記記録再生面と上記透明板に照射させる集光手段と、上記記録再生面と上記透明板の表面からの戻り光を受光する光検出手段と、上記記録再生面からの戻り光により上記光検出器から出力される受光出力に基づいて第１の信号を生成する第１の信号生成手段と、上記透明板の表面からの戻り光により上記光検出器から出力される受光出力に基づいて第２の信号を生成する第２の信号生成手段と、上記第１、第２の信号を比較することにより、上記透明板の厚み情報を抽出する信号処理手段とを備える構成とした。
【手続補正３】
【補正対象書類名】明細書
【補正対象項目名】０００９
【補正方法】変更
【補正の内容】
【０００９】
かかる構成によれば、集光手段から透明板の表面に照射される光が、この透明板の表面で反射されて戻り光となる。更に、集光手段から透明板を通って記録再生面に照射される光が、この記録再生面で反射又は回折されて戻り光となる。透明板の表面で生じる戻り光には、光軸方向における透明板の表面の位置情報が含まれることとなり、記録再生面で生じる戻り光には、光軸方向における記録再生面の位置情報が含まれることとなる。これらの戻り光を光検出器で受光すると共に、これらの受光出力に基づいて第１、第２の信号生成手段が第１、第２の信号を生成し、更に、信号処理手段で第１、第２の信号を比較することにより、透明板の厚み情報が抽出される。すなわち、信号処理手段で、光軸方向における透明板の表面の位置情報と記録再生面の位置情報との比較が行われることにより、透明板の厚み誤差（厚みむら）の情報が検出される。
【手続補正４】
【補正対象書類名】明細書
【補正対象項目名】００８０
【補正方法】変更
【補正の内容】
【００８０】
【発明の効果】
以上説明したように本発明によれば、集光手段から記録再生媒体の透明板に向けて光を照射し、これによって生じる記録再生面からの戻り光と、透明板の表面からの戻り光に基づいて、記録再生面と透明板の表面との光軸方向におけるそれぞれの位置情報を検出し、更に、それぞれの位置情報に基づいて透明板の厚み誤差の情報を得るようにしたので、記録再生媒体に設けられている透明板の厚み誤差を高精度で検出することができる。
【手続補正５】
【補正対象書類名】明細書
【補正対象項目名】００８１
【補正方法】変更
【補正の内容】
【００８１】
したがって、この厚み誤差の情報に基づいて、球面収差の補正や、記録光の照射パワー、ストラテジ、再生イコライザ特性等を可変制御することで、高開口数の対物レンズ等の集光手段を適用しても、透明板の厚みむらに対して強い光ピックアップ装置を実現することができる。更に、このように、高開口数の対物レンズ等の適用が可能となるため、高密度記録が可能になると共に、高密度記録された記録再生媒体から高精度で情報再生することが可能となる。
【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
透明板と記録再生面を有する記録再生媒体に、記録又は再生のための光を照射する光ピックアップ装置であって、前記光を射出する光源と、前記光源からの射出光を前記記録再生面と前記透明板に照射させる集光手段と、前記透明板の表面からの戻り光を受光する光検出手段と、前記透明板の表面からの戻り光により前記光検出器から出力される受光出力に基づいて、前記記録再生媒体の傾き情報を抽出する信号処理手段と、を備えることを特徴とする光ピックアップ装置。
【請求項２】
透明板と記録再生面を有する記録再生媒体に、記録又は再生のための光を照射する光ピックアップ装置であって、前記光を射出する光源と、前記光源からの射出光を前記記録再生面と前記透明板に照射させる集光手段と、前記記録再生面と前記透明板の表面からの戻り光を受光する光検出手段と、前記記録再生面からの戻り光により前記光検出器から出力される受光出力に基づいて第１の信号を生成する第１の信号生成手段と、前記透明板の表面からの戻り光により前記光検出器から出力される受光出力に基づいて第２の信号を生成する第２の信号生成手段と、前記第１、第２の信号を比較することにより、前記記録再生媒体の傾き情報を抽出する信号処理手段と、を備えることを特徴とする光ピックアップ装置。
【請求項３】
前記集光手段は、前記記録再生面からの戻り光を透過させる第１の領域と、前記透明板の表面からの戻り光を透過させる第２の領域とを有することを特徴とする請求項２に記載の光ピックアップ装置。
【請求項４】
前記集光手段は、前記光源からの光を透過させる第１の領域と、前記光源からの光を透過させる第２の領域とを有することを特徴とする請求項２又は３に記載の光ピックアップ装置。
【請求項５】
前記透明板の表面からの戻り光は、前記透明板の表面でデフォーカス状態であることを特徴とする請求項１〜４のいずれか１項に記載の光ピックアップ装置。
【請求項６】
前記集光手段は、前記光源からの射出光を前記第１の領域を通して前記透明板側に照射し、前記透明板の表面からの戻り光を前記第２の領域を通して射出させることを特徴とする請求項２〜５のいずれか１項に記載の光ピックアップ装置。
【請求項７】
前記光ピックアップ装置は、波面の異なる複数の光束を前記集光手段から前記記録再生媒体に照射すると共に、前記複数の光束のうちの１つを前記記録再生面に照射し、前記複数の光束のうちの他の１つを前記透明板の表面に照射することを特徴とする請求項２〜６のいずれか１項に記載の光ピックアップ装置。
【請求項８】
前記光ピックアップ装置は、前記光源からの射出光を波面の異なる複数の光束の光に変換して出力するホログラム素子を備えることを特徴とする請求項１〜７のいずれか１項に記載の光ピックアップ装置。
【手続補正２】
【補正対象書類名】明細書
【補正対象項目名】０００９
【補正方法】変更
【補正の内容】
【０００９】
【課題を解決するための手段】
本発明は上記従来の課題を克服するためになされたものであり、透明板と記録再生面を有する記録再生媒体に、記録又は再生のための光を照射する光ピックアップ装置であって、上記光を射出する光源と、上記光源からの射出光を上記記録再生面と上記透明板に照射させる集光手段と、上記透明板の表面からの戻り光を受光する光検出手段と、上記透明板の表面からの戻り光により上記光検出器から出力される受光出力に基づいて上記記録再生媒体の傾き情報を抽出する信号処理手段とを備える構成とした。
【手続補正３】
【補正対象書類名】明細書
【補正対象項目名】００１０
【補正方法】変更
【補正の内容】
【００１０】
かかる構成によれば、本光ピックアップ装置の光軸に対して記録再生媒体が傾くと、集光手段から透明板の表面に照射される光が、この透明板の表面の傾きに応じて反射されて戻り光となる。この戻り光を光検出手段で検出することにより、透明板の表面の傾きの情報を有する受光出力が生成される。そして、信号処理手段が受光出力を信号処理することにより、記録再生媒体の傾き情報を抽出する。
【手続補正４】
【補正対象書類名】明細書
【補正対象項目名】００１１
【補正方法】変更
【補正の内容】
【００１１】
また、透明板と記録再生面を有する記録再生媒体に、記録又は再生のための光を照射する光ピックアップ装置であって、上記光を射出する光源と、上記光源からの射出光を上記記録再生面と上記透明板に照射させる集光手段と、上記記録再生面と上記透明板の表面からの戻り光を受光する光検出手段と、上記記録再生面からの戻り光により上記光検出器から出力される受光出力に基づいて第１の信号を生成する第１の信号生成手段と、上記透明板の表面からの戻り光により上記光検出器から出力される受光出力に基づいて第２の信号を生成する第２の信号生成手段と、上記第１、第２の信号を比較することにより、上記記録再生媒体の傾き情報を抽出する信号処理手段とを備える構成とした。
【手続補正５】
【補正対象書類名】明細書
【補正対象項目名】００１２
【補正方法】変更
【補正の内容】
【００１２】
かかる構成によれば、本光ピックアップ装置の光軸に対して記録再生媒体が傾くと、集光手段から透明板の表面に照射される光が、この透明板の表面の傾きに応じて反射されて戻り光となる。更に、集光手段から記録再生面に照射される光が、この記録再生面で反射又は回折されて戻り光となる。更に、これらの戻り光は、ほぼ同じ領域からの光となる。これら記録再生媒体の傾きの情報を有する戻り光を光検出手段で検出することにより、記録再生面からの戻り光に対応する受光出力に基づいて第１の信号が生成されると共に、透明板の表面からの戻り光に対応する受光出力に基づいて第２の信号が生成される。そして、信号処理手段がこれら第１、第２の信号を比較することで、記録再生媒体の傾き情報を抽出する。
【手続補正６】
【補正対象書類名】明細書
【補正対象項目名】００８５
【補正方法】変更
【補正の内容】
【００８５】
【発明の効果】
以上説明したように本発明によれば、記録再生媒体を構成している少なくとも透明板の表面に光を照射し、その表面で反射されることで生じる戻り光、すなわち、記録再生媒体の傾き情報を有する戻り光を検出するので、記録再生媒体の傾き情報を正確に抽出することができる。更に、戻り光に内在する傾き情報は、その記録媒体の傾き態様に応じて、全方位の傾き情報を有している。このため、従来の問題点であったラジアル方向の傾きと時間軸方向の傾きを検出することが可能となる。
【手続補正書】
【提出日】平成16年8月26日(2004.8.26)
【手続補正１】
【補正対象書類名】明細書
【補正対象項目名】請求項１
【補正方法】変更
【補正の内容】
【請求項１】
磁気的に連結され、且つ記録媒体に対向する側の一部が記録ギャップ層を介して対向する第１の磁極および第２の磁極を含む少なくとも２つの磁性層と、磁束を発生させるための１層あるいは２層以上の薄膜コイルとを有する薄膜磁気ヘッドであって、
第１の磁性層と、
この第１の磁性層と分割して形成されると共に、前記記録ギャップ層との隣接面の反対側の面が、前記第１の磁性層の一部領域に磁気的に結合された第１の磁極と、
無機系材料により形成されると共に、少なくとも前記第１の磁極の前記記録媒体に対向する側の反対面から前記第１の磁性層の一方の面に連続的に形成された絶縁層と、
前記記録ギャップ層を介して前記第１の磁極に対向すると共に、前記記録媒体に対向する面から奥側に向けて前記第１の磁極よりも長く形成された第２の磁極と、
この第２の磁極と分割して形成されると共に、前記第２の磁極の前記記録ギャップ面との隣接面の反対側の面の少なくとも一部において前記第２の磁極に磁気的に結合された第２の磁性層と
を備えたことを特徴とする薄膜磁気ヘッド。
【手続補正２】
【補正対象書類名】明細書
【補正対象項目名】００３３
【補正方法】変更
【補正の内容】
【００３３】
【課題を解決するための手段】
本発明による薄膜磁気ヘッドは、磁気的に連結され、且つ記録媒体に対向する側の一部が記録ギャップ層を介して対向する第１の磁極および第２の磁極を含む少なくとも２つの磁性層と、磁束を発生させるための１層あるいは２層以上の薄膜コイルとを有する薄膜磁気ヘッドであって、第１の磁性層と、この第１の磁性層と分割して形成されると共に、記録ギャップ層との隣接面の反対側の面が、第１の磁性層の一部領域に磁気的に結合された第１の磁極と、無機系材料により形成されると共に、少なくとも第１の磁極の記録媒体に対向する側の反対面から第１の磁性層の一方の面に連続的に形成された絶縁層と、記録ギャップ層を介して第１の磁極に対向すると共に、記録媒体に対向する面から奥側に向けて第１の磁極よりも長く形成された第２の磁極と、この第２の磁極と分割して形成されると共に、第２の磁極の記録ギャップ面との隣接面の反対側の面の少なくとも一部において第２の磁極に磁気的に結合された第２の磁性層とを備えた構成を有している。
【手続補正書】
【提出日】平成16年11月15日(2004.11.15)
【手続補正１】
【補正対象書類名】明細書
【補正対象項目名】特許請求の範囲
【補正方法】変更
【補正の内容】
【特許請求の範囲】
【請求項１】
データ処理方法であって、
（ａ）ある式を評価するために、複数の演算数を取得するため、並列に要求を出すステップと、
（ｂ）前記演算数の第一のサブセットを受信した場合に、前記式を評価するために、前記演算数の第二のサブセットを依然として必要とするかどうかを検出するステップ、及び
（ｃ）前記第二のサブセットをもはや必要としない場合には、前記第二のサブセットに対する要求を取消すステップからなる方法。
【請求項２】
請求項１に記載のデータ処理方法において、前記演算数が、一つまたはそれ以上の数値例のシーケンスを含んでいる場合に、各数値例が、データ時間、スタート時間および終了時間を含み、前記スタート時間および終了時間が、データ項目が有効な時間の長さを定義するステップを含む方法。
【請求項３】
請求項２に記載のデータ処理方法であって、
（ａ）演算数の前記第一のサブセットを受信した場合に、特定の期間に関する演算数の前記第二のサブセットをもはや必要としないことを検出するステップ、及び
（ｂ）前記特定の期間に対する、演算数の第二のサブセットに対する要求を取消すステップとを含む方法。
【請求項４】
請求項１乃至３の何れかに記載のデータ処理方法において、一方の演算数が特定の期間に対するエラー表示を含んでいる場合に、前記方法が、その特定の期間に対する他方の演算数に対する要求を継続して行い、前記他方の演算数に対する要求が取消される場合だけ、その特定の期間に対するエラーを送り返す方法。
【請求項５】
請求項１乃至４の何れかに記載のデータ処理方法であって、
（ａ）該ある式をデータ・フローチャートへ変換するステップであって、評価結果を表わすルート・ノードと、前記演算数を表わすリーフ・ノードと、演算子を表わす中間ノードとを含むステップ、
（ｂ）どの演算数が必要なのかを示す要求メッセージを該データ・フローチャートを通して該リーフ・ノードの方向へ送るステップと、
（ｃ）要求メッセージがリーフ・ノードに到着した場合、演算数を取得し、前記リーフ・ノードが取得した演算数の数値を含むデータ・メッセージを該データ・フローチャートを通して該ルート・ノードの方向へ送るステップ、及び
（ｄ）データ・メッセージが中間ノードに到着した場合、そのノードが、依然として演算数を必要としているかどうかを判断し、前記演算数がもはや必要とされていない場合には、取消メッセージを該データ・フローチャートを通して前記リーフ・ノードの方向に送るステップを含む方法。
【請求項６】
請求項１乃至５の何れかに記載の方法を実行するためのデータ処理装置。
【請求項７】
請求項１乃至５の何れか１つに記載の方法を実行するためのコンピュータ・プログラムを内蔵するデータ・キャリヤ。
【手続補正２】
【補正対象書類名】明細書
【補正対象項目名】００５５
【補正方法】変更
【補正の内容】
【００５５】
図２についてい説明すると、評価機構は、式２２を取り上げ、それをデータのフローチャート２３に変換する変換プログラム２１を含む。データ・フローチャートのルート・ノードは、評価した式を表わす。葉ノード（リーフ・ノード）は、その式に対する演算数の数値を、文字定数、または演算数の数値を取得するためのプロセスとして表わす。
【手続補正書】
【提出日】平成16年11月12日(2004.11.12)
【手続補正１】
【補正対象書類名】明細書
【補正対象項目名】特許請求の範囲
【補正方法】変更
【補正の内容】
【特許請求の範囲】
【請求項１】
複数のレコードを記憶する手段からなるデータ処理装置において、各レコードが、
(a)少なくとも１の属性と、
(b)前記属性が有効なタイムスパンを示すタイムスパンと、
(c)前記レコードがいつ作成されたかを示す挿入時間と、
(d)前記レコードがコンクリートレコードであるか、あるいは、直前のコンクリートレコードまたはデルタレコードの属性値を修正する可能性のあるデルタレコードであるかを示すタイプフィールドとを具備することを特徴とするデータ処理装置。
【請求項２】
指定された視点時間の視点から属性値を検出する手段であって、前記視点時間よりも遅くない挿入時間を有するレコードのみを検索し、該検索されたレコードから属性値を構成することにより検出する手段を具備する請求項１に記載のデータ処理装置。
【請求項３】
更新予定の値に関連する最新コンクリートレコードの開始時間と更新済みの値のタイムスパンとの時間的関係によって異なる動作を実行することにより、レコードを更新する更新機構を具備する請求項１または２に記載のデータ処理装置。
【請求項４】
複数のレコードを記憶することからなるデータ処理方法において、各レコードが、
(a)少なくとも１の属性と、
(b)前記属性が有効なタイムスパンを示すタイムスパンと、
(c)前記レコードがいつ作成されたかを示す挿入時間と、
(d)前記レコードがコンクリートレコードであるか、あるいは、直前のコンクリートレコードまたはデルタレコードの属性値を修正する可能性のあるデルタレコードであるかを示すタイプフィールドとを具備することを特徴とするデータ処理方法。
【請求項５】
指定された視点時間の視点から属性値を検出するステップであって、前記視点時間よりも遅くない挿入時間を有するレコードのみを検索し、該検索されたレコードから属性値を構成することにより検出するステップからなる請求項４に記載のデータ処理方法。
【請求項６】
更新予定の値に関連する最新コンクリートレコードの開始時間と更新済みの値のタイムスパンとの時間的関係によって異なる動作を実行することにより、レコードを更新するステップからなる請求項４または５に記載のデータ処理方法。
【請求項７】
請求項４乃至６のいずれかひとつに記載のデータ処理方法を実行するコンピュータプログラムを備えたデータキャリア。
【手続補正書】
【提出日】平成17年8月22日(2005.8.22)
【手続補正１】
【補正対象書類名】明細書
【補正対象項目名】特許請求の範囲
【補正方法】変更
【補正の内容】
【特許請求の範囲】
【請求項１】  透明基板上に下部保護層、記録層、上部保護層、反射放熱層の順に積層した構成からなり、該記録層の結晶と非晶質相の可逆的相変化を利用し、溝に記録する記録相変化型の光記録媒体において、記録部である非晶質相と消去部である結晶相の反射率比が３５％から５０％であるときに、非晶質相と結晶相の光学位相差が０．０３π〜０．５πであることを特徴とする光記録媒体。
【請求項２】  請求項１記載の光記録媒体において、記録層の非晶質相の屈折率が２．５〜４．０で吸収係数（絶対値）が２．５〜３．５であり、かつ結晶相の屈折率が２．０〜４．０で吸収係数（絶対値）が２．０〜４．０となることを特徴とする光記録媒体。
【請求項３】  請求項１記載の光記録媒体において、下部保護層の膜の厚さが０．１５λ〜０．３５λ（但し、λは６３５〜６５０ｎｍの記録再生波長を表す）であることを特徴とする光記録媒体。
【請求項４】  請求項１又は２記載の光記録媒体において、記録層の膜の厚さが０．０２λ〜０．０４λ（但し、λは６３５〜６５０ｎｍの記録再生波長を表す）であることを特徴とする光記録媒体。
【請求項５】  請求項１記載の光記録媒体において、上部保護層の膜の厚さが０．０２５λ〜０．０６０λ（但し、λは６３５〜６５０ｎｍの記録再生波長を表す）であることを特徴とする光記録媒体。
【請求項６】  請求項１記載の光記録媒体において、反射放熱層の屈折率が０．５〜１．２でかつ吸収係数（絶対値）が３．０〜６．０であることを特徴とする光記録媒体。
【請求項７】  請求項１又は６記載の光記録媒体において、反射放熱層の膜の厚さが０．１５λ〜０．２８λ（但し、λは６３５〜６５０ｎｍの記録再生波長を表す）であることを特徴とする光記録媒体。
【請求項８】  請求項１、２又は４記載の光記録媒体において、記録層の構成元素が主にＡｇ、Ｉｎ、Ｓｂ、Ｔｅであって、ＡｇαＩｎβＳｂγＴｅδの各組成比α、β、γ、δ、（原子％）が
１≦α＜１０
１＜β≦２０
３５≦γ≦７０
２０≦δ≦３５
α＋β＋γ＋δ＝１００
であることを特徴とする光記録媒体。
【請求項９】  請求項１〜８のいずれかに記載の光記録媒体において、透明基板の溝深さが２０ｎｍ〜６０ｎｍであることを特徴とする光記録媒体。
【請求項１０】  請求項１〜９のいずれかに記載の光記録媒体において、記録部の結晶状態の反射率が１８％以上であることを特徴とする光記録媒体。
【手続補正２】
【補正対象書類名】明細書
【補正対象項目名】０００７
【補正方法】変更
【補正の内容】
【０００７】
【課題を解決するための手段】
本発明によれば、第一に、透明基板上に下部保護層、記録層、上部保護層、反射放熱層の順に積層した構成からなり、該記録層の結晶と非晶質相の可逆的相変化を利用し、溝に記録する記録相変化型の光記録媒体において、記録部である非晶質相と消去部である結晶相の反射率比が３５％から５０％であるときに、非晶質相と結晶相の光学位相差が０．０３π〜０．５πであることを特徴とする光記録媒体が提供される。第二に、上記第一の光記録媒体において、記録層の非晶質相の屈折率が２．５〜４．０で吸収係数（絶対値）が２．５〜３．５であり、かつ結晶相の屈折率が２．０〜４．０で吸収係数（絶対値）が２．０〜４．０となることを特徴とする光記録媒体が提供される。第三に、上記第一の光記録媒体において、下部保護層の膜の厚さが０．１５λ〜０．３５λ（但し、λは６３５〜６５０ｎｍの記録再生波長を表す）であることを特徴とする光記録媒体が提供される。第四に、上記第一又は第二の光記録媒体において、記録層の膜の厚さが０．０２λ〜０．０４λ（但し、λは６３５〜６５０ｎｍの記録再生波長を表す）であることを特徴とする光記録媒体が提供される。第五に、上記第一の光記録媒体において、上部保護層の膜の厚さが０．０２５λ〜０．０６０λ（但し、λは６３５〜６５０ｎｍの記録再生波長を表す）であることを特徴とする光記録媒体が提供される。第六に、上記第一の光記録媒体において、反射放熱層の屈折率が０．５〜１．２でかつ吸収係数（絶対値）が３．０〜６．０であることを特徴とする光記録媒体が提供される。第七に、上記第一又は第六の光記録媒体において、反射放熱層の膜の厚さが０．１５λ〜０．２８λ（但し、λは６３５〜６５０ｎｍの記録再生波長を表す）であることを特徴とする光記録媒体が提供される。第八に、上記第一、第二又は第四の光記録媒体において、記録層の構成元素が主にＡｇ、Ｉｎ、Ｓｂ、Ｔｅであって、ＡｇαＩｎβＳｂγＴｅδの各組成比α、β、γ、δ、（原子％）が
１≦α＜１０
１＜β≦２０
３５≦γ≦７０
２０≦δ≦３５
α＋β＋γ＋δ＝１００
であることを特徴とする光記録媒体が提供される。第九に、上記第一〜第八のいずれかの光記録媒体において、透明基板の溝深さが２０ｎｍ〜６０ｎｍであることを特徴とする光記録媒体が提供される。第十に、上記第一〜第九のいずれかに記載の光記録媒体において、記録部の結晶状態の反射率が１８％以上であることを特徴とする光記録媒体が提供される。
【手続補正３】
【補正対象書類名】明細書
【補正対象項目名】００３１
【補正方法】変更
【補正の内容】
【００３１】
請求項９の光記録媒体は、透明基板の溝深さが２０ｎｍ〜６０ｎｍであるものとしたことから、記録再生特性がさらに向上するという効果が加わる。
請求項１０の光記録媒体について云うと、基板と媒体を通して結晶状態の反射率が１８％以上あり、かつ結晶相と記録マークである非晶質相の反射率比が３５％から５０％となる場合の条件を合わせると、各層の膜厚は記録再生波長６３５ｎｍ〜６５０ｎｍの波長に換算すると上記の膜厚範囲となり、これら各層の膜厚及び光学定数、基板条件そして記録条件において、所定の密度で記録マークが良好に記録でき、マークのエッジがシャープであり、なおかつ媒体としての特性を満たし、なおかつＤＰＤトラッキングによる再生が可能となるという効果が加わる。
【手続補正書】
【提出日】平成17年8月30日(2005.8.30)
【手続補正１】
【補正対象書類名】明細書
【補正対象項目名】特許請求の範囲
【補正方法】変更
【補正の内容】
【特許請求の範囲】
【請求項１】
間欠的に搬送される紙葉類を読取る読取手段と、
この読取手段に圧縮空気を吹き付けて前記読取手段上の被除去物を除去する除去手段と、
この除去手段の動作を制御するもので、先行する紙葉類が前記読取手段を通過したのち、後続の紙葉類が前記読取手段に送り込まれるまでの間に前記除去手段を動作させる制御手段と、
を具備することを特徴とする紙葉類処理装置。
【請求項２】
間欠的に搬送される紙葉類に対して光を照射する発光ユニットとこの発光ユニットで照射された前記紙葉類からの光を受光する受光ユニットからなる読取手段と、
この読取手段の前記発光ユニット及び受光ユニットに圧縮空気を吹き付けて前記発光ユニット及び受光ユニットの被除去物を除去する除去手段と、
この除去手段の動作を制御するもので、先行する紙葉類が前記読取手段を通過したのち、後続の紙葉類が前記読取手段に送り込まれるまでの間に前記除去手段を動作させる制御手段と、
を具備することを特徴とする紙葉類処理装置。
【請求項３】
前記除去手段は前記発光ユニットに圧縮空気を吹き付ける第１の吹付手段と前記受光ユニットに圧縮空気を吹き付ける第２の吹付手段とを有することを特徴とする請求項２記載の紙葉類処理装置。
【請求項４】
間欠的に搬送される紙葉類を読取る読取手段と、
この読取手段に面した吹付手段と、この吹付手段と接続可能なエアーコンプレッサと、このエアーコンプレッサと前記吹付手段との接続を行う切替手段とを備え、前記切替手段によって前記吹付手段と前記エアーコンプレッサとが接続された状態にて前記吹付手段から前記読取手段に圧縮空気を吹き付けて前記読取手段上の被除去物を除去する除去手段と、
この除去手段の前記切替手段での切替動作を制御するもので、先行する紙葉類が前記読取手段を通過したのち、後続の紙葉類が前記読取手段に送り込まれるまでの間に前記吹付手段と前記エアーコンプレッサとを接続制御する制御手段と、
を具備することを特徴とする紙葉類処理装置。
【請求項５】
間欠的に搬送される紙葉類に対して光を照射する発光ユニットとこの発光ユニットで照射された前記紙葉類からの光を受光する受光ユニットからなる読取手段と、
この読取手段の前記発光ユニット及び前記受光ユニットに面した吹付手段と、この吹付手段と接続可能なエアーコンプレッサと、このエアーコンプレッサと前記吹付手段との接続を行う切替手段とを備え、前記切替手段によって前記吹付手段と前記エアーコンプレッサとが接続された状態にて前記吹付手段から前記読取手段に圧縮空気を吹き付けて前記読取手段上の被除去物を除去する除去手段と、
この除去手段の前記切替手段での切替動作を制御するもので、先行する紙葉類が前記読取手段を通過したのち、後続の紙葉類が前記読取手段に送り込まれるまでの間に前記吹付手段と前記エアーコンプレッサとを接続制御する制御手段と、
を具備することを特徴とする紙葉類処理装置。
【請求項６】
前記除去手段の前記吹付手段は前記発光ユニットに圧縮空気を吹き付ける第１の吹付手段と前記受光ユニットに夫々圧縮空気を吹き付ける第２の吹付手段とを有することを特徴とする請求項５記載の紙葉類処理装置。
【請求項７】
前記除去手段の前記エアーコンプレッサは前記紙葉類処理装置での処理終了まで稼働し、この稼働状態において前記切替手段は前記吹付手段との切り替えを行うことを特徴とする請求項４乃至５記載の紙葉類処理装置。
【請求項８】
所定の無搬送状態の時間間隔を設けつつ紙葉類を読取手段に搬送する第１のステップと、
この第１のステップにより前記所定の時間間隔の間に前記読取手段に対して圧縮空気を吹付ける第２のステップと、
この第２のステップによる圧縮空気の吹き付け時に紙葉類の搬送が開始される場合に前記読取手段への圧縮空気の吹き付けを停止する第３のステップと、
からなることを特徴とする紙粉除去方法。
【手続補正２】
【補正対象書類名】明細書
【補正対象項目名】０００９
【補正方法】変更
【補正の内容】
【０００９】
【課題を解決するための手段】
本発明は上記課題を解決するため、請求項１記載のものは、間欠的に搬送される紙葉類を読取る読取手段と、この読取手段に圧縮空気を吹き付けて前記読取手段上の被除去物を除去する除去手段と、この除去手段の動作を制御するもので、先行する紙葉類が前記読取手段を通過したのち、後続の紙葉類が前記読取手段に送り込まれるまでの間に前記除去手段を動作させる制御手段とを具備する。
【手続補正３】
【補正対象書類名】明細書
【補正対象項目名】００１０
【補正方法】変更
【補正の内容】
【００１０】
請求項２記載のものは、間欠的に搬送される紙葉類に対して光を照射する発光ユニットとこの発光ユニットで照射された前記紙葉類からの光を受光する受光ユニットからなる読取手段と、この読取手段の前記発光ユニット及び受光ユニットに圧縮空気を吹き付けて前記発光ユニット及び受光ユニットの被除去物を除去する除去手段と、この除去手段の動作を制御するもので、先行する紙葉類が前記読取手段を通過したのち、後続の紙葉類が前記読取手段に送り込まれるまでの間に前記除去手段を動作させる制御手段とを具備する。
【手続補正４】
【補正対象書類名】明細書
【補正対象項目名】００１１
【補正方法】変更
【補正の内容】
【００１１】
請求項４記載のものは、間欠的に搬送される紙葉類を読取る読取手段と、この読取手段に面した吹付手段と、この吹付手段と接続可能なエアーコンプレッサと、このエアーコンプレッサと前記吹付手段との接続を行う切替手段とを備え、前記切替手段によって前記吹付手段と前記エアーコンプレッサとが接続された状態にて前記吹付手段から前記読取手段に圧縮空気を吹き付けて前記読取手段上の被除去物を除去する除去手段と、この除去手段の前記切替手段での切替動作を制御するもので、先行する紙葉類が前記読取手段を通過したのち、後続の紙葉類が前記読取手段に送り込まれるまでの間に前記吹付手段と前記エアーコンプレッサとを接続制御する制御手段とを具備する。
【手続補正５】
【補正対象書類名】明細書
【補正対象項目名】００１２
【補正方法】変更
【補正の内容】
【００１２】
請求項５記載のものは、間欠的に搬送される紙葉類に対して光を照射する発光ユニットとこの発光ユニットで照射された前記紙葉類からの光を受光する受光ユニットからなる読取手段と、この読取手段の前記発光ユニット及び前記受光ユニットに面した吹付手段と、この吹付手段と接続可能なエアーコンプレッサと、このエアーコンプレッサと前記吹付手段との接続を行う切替手段とを備え、前記切替手段によって前記吹付手段と前記エアーコンプレッサとが接続された状態にて前記吹付手段から前記読取手段に圧縮空気を吹き付けて前記読取手段上の被除去物を除去する除去手段と、この除去手段の前記切替手段での切替動作を制御するもので、先行する紙葉類が前記読取手段を通過したのち、後続の紙葉類が前記読取手段に送り込まれるまでの間に前記吹付手段と前記エアーコンプレッサとを接続制御する制御手段とを具備する。